Podtech/llm-jp-corpus-v4-ja_patent huggingface dataset:
(57)【要約】      （修正有）【課題】周りの壁筋の巾が異なっても、長さの異なる鉄筋を順序を問わず配筋位置が常に確認出来る、配筋具を提供する。【解決手段】本体１の両端いずれにも、マジックテープのオス５とメス４をもうけ、その中間に、仮赤色目印２と仮黒色目印３を、交互に同間隔で両面にもうけてある、又本数を示す数字９と１０が目印同様両面にもうけてある。【選択図】図２
0003152300.tif 000002
【実用新案登録請求の範囲】
【請求項１】
基礎コンクリートを打設するにあたり、鉄筋を配筋する事であるが特に、壁縦筋巾と床配筋巾が異なる時、また入り組んで次に始まる配筋の種類の不明、本数を知る困難、直線に配筋する困難等を解消する事に使用される。
テープの両端のいすれにも、マジックテープのオスとメスをもうけ、その中間に異なる目印を交互に同間隔で両面に設け、また、本数を示す数字が目印に合わせて、もうけてある、配筋具。
【考案の詳細な説明】
【技術分野】
【０００１】  本考案は周りの壁筋の巾が異なっても、長さの異なる鉄筋を順序を問わず配筋位置が常に確認出来る、配筋具に関するものである。
【背景技術】
【０００２】  従来配筋位置を示す目印を持つはかり具等は無く、ものさし系の、はかり具を使用している。
【考案の開示】
【考案が解決しようとする課題】
【０００３】  順位を問わず、異なる長さの鉄筋を配筋出来る事を課題とする。
【課題を解決するための手段】
【０００４】  テープの面に異なる目印を交互に同間隔で両面にもうけ、裏表に両端から始まる目印の数を示す数字をもうけたことで課題を解決させたのである。
【考案の効果】
【０００５】  目印を見て本数がわかり、目印に合わせて配筋出来る様にしたことである。
【考案を実施する為の最良の形態】
【０００６】  以下本考案の配筋具の実施形態について図面にもとずいて説明する、配筋具１の中間にもうけた異なる目印、仮赤色目印２を、床配筋の始まる位置に合わせ、端部にもうけた、オス５とメス４を備えるマジックテープを前記始まる位置の手前に有る鉄筋等に巻き付け、マジックテープのオス５とメス４を合わせて止め、異なる目印、仮赤色目印２、仮黒色目印３と床配筋の本数を示す数字９を交互に同間隔で両面に持つ、テープを縦鉄筋の最終端で折り返す等で、前記同様手前の鉄筋等に、マジックテープでとめる、又対向側は、仮黒色３を床配筋の始まる位置に合わせる事で鉄筋のつなぐ位置を交互にすることが出来る、また中間の床面に前記同様に張る事で床配筋の通り、直線を合わせる事が出来る、素材は水洗いの出来る繊維系が望ましい、またその間隔は必要とする配筋巾に合わせれば良い、本数を示す数字は裏表両端双方から始まる、が最良の実施と形態である。
【図面の簡単な説明】
【０００７】
【図１】  本考案の平面図
【図２】  方考案を使用した状態を示す平面図
【符号の説明】
【０００８】  １    配筋具          ５    オス            ９    表面の本数を示す数字
２    仮赤色目印      ６    縦筋
３    仮黒色目印      ７    長い鉄筋        １０  裏面の本数を示す数字
４    メス            ８    短い鉄筋
0003152300.tif 000003
【手続補正書】
【提出日】平成21年5月11日(2009.5.11)
【手続補正１】
【補正対象書類名】実用新案登録請求の範囲
【補正対象項目名】全文
【補正方法】変更
【補正の内容】
【実用新案登録請求の範囲】
【請求項１】
基礎コンクリートを打設するにあたり、鉄筋をコンクリート内に埋設するために、鉄筋の配設位置を印す事に使用される、長さの異なる鉄筋を交互に配設する為の平面を裏表に設けたテープに異なる色、異なる形の目印がもうけて有る、又、前記テープの両端に面ファスナーが設けてある、更に前記鉄筋の本数を示す、数字が裏表別方向にあたる端部より、前記目印に合わせて設けてある、鉄筋配設目印具。
【手続補正２】
【補正対象書類名】明細書
【補正対象項目名】全文
【補正方法】変更
【補正の内容】
【考案の詳細な説明】
【技術分野】
【０００１】  本考案は基礎コンクリートの周囲に組設される壁面鉄筋の間隔と床面に組設される床面鉄筋との間隔が異なっても鉄筋配設目印に従い鉄筋を確実な位置に配設する事の出来る鉄筋配設目印具に関するものである。
【背景技術】
【０００２】  基礎コンクリートの周囲に組設される壁面鉄筋の間隔と床面に組設される床面鉄筋の間隔が異なると床面鉄筋の配設位置をまちがえる事が多い、又、床面に組設さた鉄筋の通りを直線にあわせる事が困難である。
【考案の開示】
【考案が解決しようとする課題】
【０００３】  基礎コンクリートの周囲に組設される壁面鉄筋の間隔と床面に組設される床面鉄筋の間隔が異なっても床面鉄筋の配設位置のまちがいをなくす、又、本数を目視出来る数字を設ける、また鉄筋の通りを直線にあわせる事の困難を課題とする。
【課題を解決するための手段】
【０００４】  鉄筋の配設位置に目印を設ける、鉄筋の配設位置に数字を設ける、鉄筋を直線に合わせる位置に目印を設ける、前記目印及び数字を裏表に平面を持つテープに印し、端部を面ファスナーで固定し前記目印、数字を合せる、で課題を解決出来るのである。
【考案の効果】
【０００５】  裏表に平面をもつテープに鉄筋の配筋位置、本数を示す数字を印し、その端部に設けた面ファスナーで固定する事で目で見て鉄筋を配筋出来、数字を見て鉄筋の本数が確認出来、又、床全体の中間に前記テープを張り、目印に鉄筋を合わせる事で通りを直線にする事が出来る。
【考案を実施する為の最良の形態】
【０００６】  以下本考案の鉄筋配設目印具の実施形態について図面にもとずいて説明する、裏表に平面を持つテープ、鉄筋配設目印具１、の裏表面に長い鉄筋７、短い鉄筋８を配設する為の仮赤色目印２、仮黒色目印３と、配設する鉄筋の本数を示す数字、表面の本数を示す数字９、裏面の本数を示す数字１０がもうけてある、両端部に面ファスナー、メス部４、オス部５が設けて有り、鉄筋配設目印を鉄筋配設位置の始まりに合わせ、前記、面ファスナーで配設位置の手前の縦筋６等に固定する、又対向する側には前記目印を一つ、ずらして張る事で異なる鉄筋を配設する事ができる、又、鉄筋配設床面に必要とする本数の前記テープを張り前記目印に床配筋を合わせる事で鉄筋の通りを直線にする事が出来る、素材は繊維系で水洗いの出来る物が望ましい、又、巾、長さは必要に応じて決めれば良い、以上が本考案の最良の実施と形態である。
【図面の簡単な説明】
【０００７】
【図１】本考案の平面図
【図２】本考案を使用した状態を示す平面図
【符号の説明】
【０００８】１  鉄筋配設目印具    ５  オス          ９  表面の数字を示す
２  仮赤色目印        ６  縦筋              数字
３  仮黒色目印        ７  長い鉄筋    １０  裏面の数字を示す
４  メス              ８  短い鉄筋          数字
【手続補正３】
【補正対象書類名】図面
【補正対象項目名】全図
【補正方法】変更
【補正の内容】
【図１】
0003152300.tif 000004
【図２】
0003152300.tif 000005
(57)【要約】      （修正有）【課題】屋根裏に籠もった熱を利用して水道水等の温水化をはかり、この温水を貯留し、これを風呂、台所などに給水する温水化装置を提供する。【解決手段】貯水タンク管１を屋根裏８に配し、貯水タンク管の供給口側２は低く、給水口側３は高い位置になるように傾斜させ、貯水タンク管の基端の供給口は水道管或は井戸水管等の供給管４に接続し、貯水タンク管の先端の給水口は給水管５に接続して貯水タンク管内の水を加温自在として温水化装置を構成する。  【選択図】図１
0003152139.tif 000002
【実用新案登録請求の範囲】
【請求項１】
貯水タンク管を屋根裏に配し、貯水タンク管の供給口側は低く、給水口側は高い位置になるように傾斜させ、貯水タンク管の基端の供給口は水道管或は井戸水管等の供給管に接続し、貯水タンク管の先端の給水口は給水管に接続して貯水タンク管内の水を加温自在とした温水化装置。
【考案の詳細な説明】
【技術分野】
【０００１】
本考案は、太陽熱や暖房などによる屋根裏の蓄熱を利用した給湯装置に関する。
【背景技術】
【０００２】
従来太陽熱を利用する温水化装置としては屋根やビルなどの屋上にソーラーパネルを設置し、このソーラーパネルによって暖められた温水を風呂、台所等に配水するようにしている。
【０００３】
然し乍らこのソーラーパネルを利用したものはソーラーパネル自体が高価で設備費用としては一般的でなく、又曇りとか積雪地帯では水道水、井戸水などの温水化は殆ど期待できなく、且つその維持管理が困難であり、設備費用の高価である割合には経済性のないことが明らかで、あまり普及していないのが現状である。
【考案の概要】
【考案が解決しようとする課題】
【０００４】
そこで本考案は、屋根裏を利用して水道水等の温水化をはかり、この温水を貯留し、これを風呂、台所などに給水しようとするものである。屋根裏空間には太陽熱、ストーブなどによって屋根裏の空気が暖められ、暖められた空気温は外気と比較すると２０〜３０％ほど高くなり、夏場にいたっては屋根裏温度は４０〜５０度（山形県鮭川村で調査。）になり、この屋根裏の篭り熱を有効に利用しかつ安価な設備で省エネ効果に役立てようとするものである。
【課題を解決するための手段】
【０００５】
貯水タンク管を屋根裏に配し、貯水タンク管の供給口側は低く、給水口側は高い位置になるように傾斜させ、貯水タンク管の基端の供給口は水道管或は井戸水管等の供給管に接続し、貯水タンク管の先端の給水口は給水管に接続して貯水タンク管内の水を加温自在としたものである。
【考案の効果】
【０００６】
本考案の効果として、屋根裏８の篭り熱は傾斜して設置した貯水タンクの水を篭り熱の温度近くまで温めることができ、風呂や台所などで使用する水を沸かすに必要な光熱費を大幅な節約ができ、夏場にいたっては風呂を沸かすのに必要な光熱費は殆ど掛からず、ボイラー等で加温する場合、直接の水道水、井戸水よりも貯水タンク内の水は必ず高くなっており、年間を通じての燃費（石油、電気、その他の燃料代）。の大幅な削減ができ、しかも貯水タンク管は水道用の塩化ビニール製の管体などを使用すれば良く、又貯水タンク管の太さ、長さ、増減などを変化させれば貯水量を変えることができ、安価な設備で、省エネ効果に役立つ。
【実施例】
【０００７】
格子状に組立て水の流出入を自在とした太い貯水タンク管１、１を屋根裏に配し、貯水タンク管１の供給口２側は低く、給水口３側は高い（ｈ）位置になるように傾斜させ、貯水タンク管１の基端の供給口２はポンプ等を介した水道管或は井戸水管などの供給管４に接続し、貯水タンク管１の先端の給水口３は給水管５に接続して貯水タンク管１内の水を加温自在としてあり、給水管５はボイラー９に接続している。
【０００８】
貯水タンク管１，１の組立は、図１、図２のように格子状は勿論、蛇行状、三角状等何れの形状でも屋根裏８の構造物に合わせた形状の組立で行えばよいが、貯水タンク管１の供給口２側は低く、給水口３側は高い位置になるように傾斜させるようにして、貯水タンク管１内の温水は対流によって給水口３側に徐々に移動し、貯水タンク１内の温水は給水口３から給水管５に流出すると、供給口２から新しい水が貯水タンク管１の傾斜に抗して貯水タンク管１に供給されるようになっている。
【０００９】
尚水道管或は井戸水管などの供給管４と給水管５との配管中に汎用の三つ又弁６，６等を介して水抜き装置、凍結防止装置等を設けておくとよい。図中は７は供給管４に介設したポンプである。
【００１０】
屋根裏８の取付位置は図１の他、屋根の裏法面に沿って設けたり、支柱に沿って設けてもよい。
【００１１】
図１の一点鎖線に示すように、貯水タンク管１,１を格子状に組み立てたものを複数個用意しておき、これら格子状に組み立てた貯水タンク管１,１の両側端位置のものを接続するようにして屋根裏に配置すればよい。この場合も貯水タンク管１の供給口２側は低く、給水口３側は高い（ｈ）位置になるように傾斜させる。
【図面の簡単な説明】
【００１２】
【図１】本考案に係る温水化装置の配管説明図。
【図２】貯水タンク管の拡大説明図。
【図３】貯水タンク管の傾斜を示した拡大説明図。
【図４】貯水タンク管を蛇行状に配置した状態の拡大説明図。貯水タンクを接続する場合の接続説明図。
【符号の説明】
【００１３】
１：貯水タンク管
２：供給口
３：給水口
４：供給管
５：給水管
６、６：三つ又弁
７：ポンプ
８：屋根裏
【図１】
0003152139.tif 000003
【図２】
0003152139.tif 000004
【図３】
0003152139.tif 000005
【図４】
0003152139.tif 000006
【手続補正書】
【提出日】平成21年5月14日(2009.5.14)
【手続補正１】
【補正対象書類名】実用新案登録請求の範囲
【補正対象項目名】全文
【補正方法】変更
【補正の内容】
【実用新案登録請求の範囲】
【請求項１】
貯水タンク管を屋根裏に配し、貯水タンク管の供給口側は低く、給水口側は高い位置になるように傾斜させ、貯水タンク管の基端の供給口は水道管或は井戸水管等の供給管に接続し、貯水タンク管の先端の給水口は給水管に接続して貯水タンク管内の水を屋根裏の篭り熱により加温自在とした温水化装置。
(57)【要約】      （修正有）【課題】ポケットティッシュの小袋を整理して収納し、紙を取出し易くして家の中や卓上での使用に適するようにしたポケットティッシュボックスを提供する。【解決手段】紙取出し口を設けたポケットティッシュボックスＡの両側面を開閉可能とし、箱Ａの中に紙を折込んだ紙バネＢを収納してポケットティッシュの小袋Ｐを上面に押上げて紙の取出しを容易にすること、数個のティッシュの小袋を収納できる。【選択図】図５
0003152104.tif 000002
【実用新案登録請求の範囲】
【請求項１】
紙取出し口Ｘを上面（１）とし、底面両側に指掛け部（７），（７）を設け、側面（５），（６）を前記指掛け部（７）により、開閉可能としたポケットティッシュボックスＡ内に、用紙を鼓状に折込んだ紙バネＢを挿入して組合せたことを特徴としたポケットティッシュボックス。
【考案の詳細な説明】
【技術分野】
【０００１】
本考案は、携帯用として便利に使用されているポケットティッシュを卓上などで使用するポケットティッシュボックスに関する。  
【背景技術】
【０００２】
ポケットティッシュは、子供から大人まで外出する際にはポケットの中に入れて常持するなかば必需品のようなものであり、雑貨店やタバコ屋、販売店等で１０袋程度まとめたものが売られている。また宣伝広告用としても適していて、この小袋の中に広告等を入れて街中で、或は店頭で無料で配布している。このため時には卓上に３袋、５袋と無雑作に放置されていて見苦しい感がある。そしてこのポケットティッシュもこのように家の中に放置されているときは、仲々使用する気にはなれず、普通は家の中にある大形のティッシュに手を伸すことが多い。
【特許文献１】特開２００７−２２３６４６号公報
【考案の開示】
【考案が解決しようとする課題】
【０００３】
携帯用としてポケットの中にあるときは便利に使用されるポケットティッシュも、家の中では仲々使用されずに放置されている原因は、紙を取出すのが面倒であること、放置されているとはいえ、使うときに探す手間がかかり、つい手許にある大形のティッシュに手が行くためと思われる。
【課題を解決するための手段】
【０００４】
考案者は、この家の中で放置されがちなポケットティッシュを箱に納めて紙を取出し易くしたポケットティッシュボックスを提供するもので、収納箱に紙取出し口Ｘを設けること、収納箱Ａの中に紙バネＢを組入れてポケットティッシュの小袋Ｐが常に箱の上面にあるようにしたことを特徴として使い方を便利にするものである。
【考案の効果】
【０００５】
本考案のポケットティッシュボックスは家の中や卓上で体裁よく整理整頓されるためポケットティッシュを無駄にすることなく使え、また図３、図４に示すように、用紙を自分で組立てる楽しみもあって、この箱に宣伝広告を入れることができるため本考案の使用上の効果は顕著である。
【実施例】
【０００６】
添付図面により本考案を説明する。図１はポケットティッシュボックスＡ（以下単に箱Ａとする）の全体を示す斜視図であって、上面（１）に紙取出し口Ｘを大きく設け、この箱Ａの長手方向の側面（５），（６）を開閉可能とし、ここから後述する紙バネＢ及びポケットティッシュペーパーの小袋を挿入する。これ以外の各面（２），（３），（４）は箱Ａ組立ての際に折込んだままにするか、この折り代に接着剤をつけて固定してもよい。
【０００７】
図２は紙バネＢの作用を示す側面図で、全体として鼓形としていて、上下の面を弾力をもって支持できる。図３は箱Ａの用紙の展開図、図４は紙バネＢの用紙の展開図を示している。
【０００８】
以下図３、図４の用紙の組立を説明する。（１）は紙取出し口Ｘを中央に設けた上面であって、この面の左右に側面（２），（３）及び底面を形成する（４）を設け、上下に開閉できる側面（５），（６）を設けた用紙を折目に沿って折り、左側面（２）に設けた爪（９）を底面（４）の折り代の折目に設けた切込み（８）に差込んで箱Ａを形成する。
【０００９】
図４は紙バネＢの展開図で、ポケットティッシュの小袋Ｐを押圧する面（１０）を中央に設け、左右にバネを形成する側面（１４），（１４）を設け、この外側に底面（１１）を形成する半裁部分（１１），（１１）を設けた長方形の用紙の両側に爪（１３）と爪差込み用の切込み（１２）を設け、折り目に沿って折り、側面（１４）の中央の折り線（１５）を逆折りとして鼓状の紙バネＢを形成してポケットティッシュの小袋Ｐを押上げる（図５参照）ことにより箱Ａの上面の紙取出し口Ｘに小袋Ｐは常に接していて紙の取出しを容易にする。
【産業上の利用可能性】
【００１０】
上述のように本考案のポケットティッシュボックスＡはポケットティッシュの小袋Ｐの整理整頓に適しているばかりか、箱Ａの用紙と紙バネＢの用紙をセットとして自分で組立てて使用すること、これに広告、宣伝文や模様等を加えることによって人気が高まることとなる。
【図面の簡単な説明】
【００１１】
【図１】半開きのポケットティッシュボックスの斜視図
【図２】紙バネの側面図
【図３】ポケットティッシュボックスの展開図
【図４】紙バネの展開図
【図５】箱Ａの断面図
【符号の説明】
【００１２】
１  箱Ａの上面  
５，６  開閉できる側面
８  箱Ａの爪  
９  爪を挿入する切込み
Ａ  ポケットティッシュボックス
Ｂ  紙バネ
Ｘ  紙取出し口
Ｐ  ポケットティッシュの小袋
【図１】
0003152104.tif 000003
【図２】
0003152104.tif 000004
【図３】
0003152104.tif 000005
【図４】
0003152104.tif 000006
【図５】
0003152104.tif 000007
(57)【要約】      （修正有）【課題】人感センサーで感知し、照明ユニットのライトを点灯させターンテーブルを回転させる一連のサイクル終了後、次にセンサーが感知するまでの間、停止して節電するターンテーブルを提供する。【解決手段】単独で動作する、ターンテーブル、昇降ユニット、照明器具を人感センサーでユニット化した。展示品にお客様が近づくと、センサーによりライトが点灯し、降下が始まり商品を照らすと同時にターンテーブルが回転する。展示品からお客様が離れると、ライトは消え上昇し、ターンテーブルが停止する。ウインドの中のターンテーブルに商品を置き、見学者はウインドの外で、商品を３６０度見ることが出来る。【選択図】図１
0003152107.tif 000002
【実用新案登録請求の範囲】
【請求項１】
展示用ターンテーブル（以下ターンテーブルという）の回転と昇降照明装置（以下昇降ユニットという）の昇降及びライトの点灯を人感センサー（以下センサーという）により動作させる。
センサーで感知すると、昇降ユニットのライトが、シーケンス制御で点灯し、ターンテーブルの商品を照らしながらライトが下降する。ターンテーブルは昇降ユニットのライトが点灯したと同時に回転を開始する。
センサーで感知し動作を開始してから動作終了までのサイクルは、使用状況によりタイマーで対応する。
【請求項２】
ターンテーブルは可変速タイプ、インダクションモータを使用し、回転のスピードをコントロールでき、回転板は直径６０センチまで対応とする。
【請求項３】
昇降ユニットは、ＴＲ（台形ネジ）１０、スクリューシャフトを使用し、カップリングによりギヤ−ドモータと接続してライトを昇降させる。
【考案の詳細な説明】
【技術分野】
【０００１】この考案は人感センサーにより、ターンテーブル、昇降ユニット及びライトを動作させるもの。
【背景技術】
【０００２】従来よりターンテーブル及び照明器具は存在する。
【考案が解決しようとする課題】
【０００３】それは次のような問題があった。
（イ）ターンテーブル単独での使用。
（ロ）照明器具単独での使用。
（ハ）お客様がいなくてもテーブルは連続で回転し、照明も点灯のままであった。
本考案は、以上の問題点を解決するために考案されたものである。
【課題を解決するための手段】
【０００４】人感センサーで感知し、照明ユニットのライトを点灯させターンテーブルを回転させる一連のサイクル終了後、次にセンサーが感知するまでの間、停止して節電することを特徴とした。
【考案の効果】
【０００５】展示品に人が来た場合照明により商品アピールが出来、人がいない場合には節電する効果がある。
【考案を実施するための最良の形態】
【０００６】以下、本案の実施の形態を説明する。
（イ）展示品にお客様が近づくと、センサーによりライトが点灯し、降下が始まり商品を照らすと同時にターンテーブルが回転する。
（ロ）展示品からお客様が離れると、ライトは消え上昇し、ターンテーブルが停止する
【実施例】
【０００７】ウインドの中のターンテーブルに商品を置き、見学者はウインドの外で、商品を３６０度見ることが出来る。
【産業上の利用可能性】
【０００８】美術館、デパート等の商品をアピールする。
【図面の簡単な説明】
【０００９】
【図１】Ａ図は人感センサーの正面図で、Ｂ図はターンテーブルの正面図です。Ｃ図は昇降ユニットの斜視図です。
【図２】図１Ｃ図の点線○部分の拡大図です。
【符号の説明】
【００１０】（ア）人感センサー
（イ）モーター
（ウ）スクリューシャフト
（エ）ライト
（オ）可変速インダクションモーター
（カ）回転板
（キ）カップリング
【図１】
0003152107.tif 000003
【図２】
0003152107.tif 000004
【手続補正書】
【提出日】平成21年1月13日(2009.1.13)
【手続補正１】
【補正対象書類名】実用新案登録請求の範囲
【補正対象項目名】全文
【補正方法】変更
【補正の内容】
【実用新案登録請求の範囲】
【請求項１】
人感センサー、ターンテーブル、昇降照明装置、３つの単独した製品をユニット化し、人が近づくと人感センサーが感知してターンテーブル上に置いた商品を、昇降照明装置に設置されたライトが照らし、人がいなくなると停止させる一連の動作を繰り返えし行なう、昇降照明付き節電ターンテーブル。
【請求項２】
展示する商品により、直径の大きさ及び材質又は形を変えたテーブルを、上置き出来ることを特徴とした、請求項１に記載のターンテーブル。
【請求項３】
請求項１に記載の昇降照明装置は、定位置にある照明器具のライトを点灯させ下降して商品を照らし、ターンテーブルの停止と共にライトを消し、定位置に戻り停止する、昇降照明装置。
【手続補正書】
【提出日】平成21年3月19日(2009.3.19)
【手続補正１】
【補正対象書類名】実用新案登録請求の範囲
【補正対象項目名】全文
【補正方法】変更
【補正の内容】
【実用新案登録請求の範囲】
【請求項１】
人感センサー、ターンテーブル、昇降照明装置、３つの単独した製品をユニット化し、人が近づくと人感センサーが感知してターンテーブル上に置いた商品を、昇降照明装置に設置されたライトが照らし、人がいなくなると停止させる一連の動作を繰り返えし行なう、昇降照明付き節電ターンテーブル。
【請求項２】
展示する商品により、直径の大きさ及び材質又は形を変えたテーブルを、請求項１に記載のターンテーブルに上置き出来ることを特徴とした、請求項１に記載の昇降照明付き節電ターンテーブル。
【請求項３】
請求項１に記載の昇降照明装置は、定位置にある照明器具のライトを点灯させ下降して商品を照らし、ターンテーブルの停止と共にライトを消し、定位置に戻り停止することを特徴とした、請求項１に記載の昇降照明付き節電タ−ンテーブル。
(57)【要約】      （修正有）【課題】ドーム型建築において、ドームを構成する三角形の数をフラードームより減らし設計、施工をより簡便かつコストの低減を計った構造を提供する。【解決手段】ドーム型建築の構成要素の表面形状を四種類の二等辺三角形４８個で構成する。【選択図】図２
0003152110.tif 000002
【実用新案登録請求の範囲】
【請求項１】
表面形状が４種類の二等辺三角形で構成されるドーム型建築
【考案の詳細な説明】
【技術分野】
【０００１】本考案は、三角トラス構造のドーム型建築の形状に関するものである。
【背景技術】
【０００２】現在、三角トラス構造のドーム型建築の多くは一般に「フラードーム」と呼ばれる構造で、表面が７５個、もしくは１０５個の三角形で構成されている。図３参照
【考案の開示】
【考案が解決しようとする課題】
【０００３】フラードーム構造においては、建築物を構成する三角形の数が多く、また床面形状が異なる長さの二種類の辺で構成されている為、設計及び施工が複雑で、かつ部材製造、建築物製作に高額な費用を必要とした。
【課題を解決するための手段】
【０００４】本考案は、四種類の二等辺三角形４８個で表面を構成することで、課題を解決している。図２参照
【考案の効果】
【０００５】フラードーム構造より構成三角形の数を少なくすることにより、部材製造及び建築物製作の費用とそれらに掛かる時間の低減を計るものである。
【図面の簡単な説明】
【０００６】
【図１】  本考案を示す斜視図である。
【図２】  本考案の構成を示す平面展開図である。
【図３】  フラードームの斜視図である。
【符号の説明】
【０００７】図２の数値は図１で示す本考案の床面形状の半径を１とした場合の数値比である。
図２のアルファベットは、本考案を構成する二等辺三角形の種類を表す．
図３の数値は、フラードームの床面形状の半径を１とした場合の数値比である。。
【図１】
0003152110.tif 000003
【図２】
0003152110.tif 000004
【図３】
0003152110.tif 000005
(57)【要約】【課題】  熱いコーヒーなどを飲むことの多い紙カップは、カップが軟化して持ちにくく注意が必要であった。このため使い勝手のよい紙カップホルダーが望まれている。【解決手段】  台形で横長の用紙の一方の端に爪を設け、他端にこの爪を差し込む切込みを設け、使用する際に用紙を捲回して爪を切込みに差込んで円筒状にしてカップを保持する。用紙が台形であるために接合したときに摘まみ部分ができる一枚の紙なので保管も便利である。【選択図】  図１
0003152105.tif 000002
【実用新案登録請求の範囲】
【請求項１】
横長で中央部を細く形成した台形の用紙（１）であって、一方の端側に爪（２）を押出し成形用の切込み（３）を上下２個設け、他端側に、前記爪（２）差込み用の切込み（４）を設けたことを特徴とした紙カップホルダー。
【考案の詳細な説明】
【技術分野】
【０００１】
本考案は、横長の用紙を捲回して使用する簡易紙カップホルダーに関する。  
【背景技術】
【０００２】
飲み物等を入れて使用する紙カップは、熱いコーヒーなどを入れた場合に、紙カップが熱で軟化して滑り易くなり、思わず底に指をかけるような場合もあり、持ち歩くときなどでは気を使うことがある。このため以前は取っ手付きの紙カップの存在もあったが最近ではあまり見られない。
【特許文献１】特開２００４−１９６３９９号公報
【考案の開示】
【考案が解決しようとする課題】
【０００３】
この取っ手付きの紙カップの場合は、取っ手部分があるため嵩張り保管に場所を取ることや、工費がかかる点で使い捨ての紙カップには適していないことが原因となっている。
【課題を解決するための手段】
【０００４】
考案者は、この点に鑑み鋭意試作研究を重ねた結果本考案に到達したもので、本考案は図示のような横長の台形の用紙（１）を用い、この用紙（１）の一方の端側に爪（２）を指で押出して突出する切込み（３）を設け、他端側に、この爪（２）を差込むための切込み（４）を設け、用紙（１）を捲回して円筒形とし、爪（２）を切込み（４）に挿入して
爪（２）を折返して固定することにより、用紙（１）によって形成された円筒部分で紙カップＫを保持し、爪（２）を差込んだ用紙（１）端（５）を指でのつまみ部分とすることができる。
【考案の効果】
【０００５】
本考案の紙カップホルダーは、単なる横長の１枚の用紙を丸めるだけでカップホルダーが成形されるためきわめて安易で、用紙の接合に際しても、指で爪を押出し、これを他端の切込みに差込むという容易な操作で保持部が完成できるため、誰にでも簡単に作れ、しかも１枚の用紙であり、数の保管も問題なく、この台紙に宣伝・広告等を掲載することが
できれば、このカップホルダーの利用効果はきわめて顕著である。
【実施例】
【０００６】
添付図面により本考案を説明すると、図１はカップホルダーを成形する用紙（１）の展開図であって、図２に示すように、横長で中央部をやや細く形成した台形の用紙（１）を使用する。
【０００７】
そしてこの用紙（１）の一方の端に爪（２）を押出して成形するための切込み（２）を上下２個所設けると共に、他端にこの爪（２）を差込む切込み（３）を設け、使用に当っては図３に示すように、用紙（１）を丸めて爪（２）を切込み（３）に差込み、突出した爪（２）を折返して固定する。
【０００８】
この爪（２）を差込んで固定することによって図３に示すような円筒形が形成され、この用紙の折合部は台形の用紙（１）を使用するためやや上方に向いて、指つまみ部（５）が形成されて、図１の使用例図に示すごとく、紙カップＫを挿入したときに安定した保持ができる。このホルダーに用いる用紙は弾力があって硬いプラスチックの薄板か、樹脂加工した紙が適している。
【産業上の利用可能性】
【０００９】
上述のように本考案の紙カップホルダーは一枚の用紙（１）を円筒形に丸め形成するので糊など不要であり、保管も場所をとらず、この用紙に広告等を記入すれば宣伝効果は大きく利用度も広い。
【図面の簡単な説明】
【００１０】
【図１】紙カップホルダーの使用例図
【図２】完成品の実施例図
【図３】用紙の展開図
【符号の説明】
【００１１】
１  用紙  
２  爪
３  切込み  
５  摘み部分
Ｋ  紙カップ
【図１】
0003152105.tif 000003
【図２】
0003152105.tif 000004
【図３】
0003152105.tif 000005
(57)【要約】      （修正有）【課題】家庭用のやぐら式電気こたつなどにおいて使用する小物置台を提供する。【解決手段】こたつ天板とこたつ用の掛け布団の間に差し込んで、小物を置く長方形の台板４を固定すべく、台板４の一辺にかんざし部５を設ける。また、台板４上に置いた物が移動し落下することがないように、台板４の周囲に提１をつける。かんざし部５の台板４への取付辺と直交する台板４の他の二辺に、同じ台板４を縦列して接続できるように接続用凹凸部２，３を設ける。【選択図】図１
0003152117.tif 000002
【実用新案登録請求の範囲】
【請求項１】
家庭用のやぐら式電気こたつの、こたつ天板とこたつ用掛け布団との間に、かんざしのように差し込んで使用する小物やテッシュペーパー箱などを置く台。
【考案の詳細な説明】
【技術分野】
【０００１】  本考案は、家庭用のやぐら式電気こたつなどの、こたつ天板とこたつ用掛け布団との間に、かんざしのように差し込んで使用する小物やテッシュペーパー箱などを置く台です。
【背景技術】
【０００２】  おもに冬に使用する家庭用のやぐら式電気こたつは、こたつ天板と掛け布団とやぐら式熱源で構成されたものが一般的です。
【先行技術文献】
【特許文献】
【０００３】
【特許文献１】  特開２００５−２１８８３７号公報
【考案の概要】
【考案が解決しようとする課題】
【０００４】  上記のような天板に引き出しをつけたものは製造コストが高くなり、また天板が厚くなってしまう。【０００５】  本考案は、上述のような問題点を解決するためになされたもので、天板を厚くしないでテッシュペーパー箱や電卓、筆記用具など置くスペースを拡張することを目的として、天板とこたつ用掛け布団との間に、かんざしのように差し込んで使用する小物やテッシュペーパー箱などを置く台です。
【課題を解決するための手段】
【０００６】  本考案のこたつ用かんざし小物置き台は、テッシュペーパー箱が置けるほどの大きさで箱がずれないよう堤のついた板にかんざしのように差し込む部分をつけたものです。また、かんざし小物置き台を複数接続するための凹凸をつければ、さらに拡張できます。
【考案の効果】
【０００７】  本考案のこたつ用かんざし小物置き台は、従来から家庭で使用されているやぐら式電気こたつに、改造することなく安価に簡単に取付できます。材質はペットボトルのリサイクルプラスチックを使用すれば環境改善にも役に立ちます。
【図面の簡単な説明】
【０００８】
【図１】  本考案の斜視図である。
【図２】  本考案の実施の形態１の断面図である。
【考案を実施するための形態】
【実施例】
【０００９】  図１は本考案の斜視図で、テッシュペーパー箱がずれないように堤１と置き台を接続するための凹２と凸３ついた台板４にかんざしのように差し込む部分５をつけたもので、図２は本考案の実施の形態１の断面図で天板６とこたつ用掛け布団７との間に、かんざし小物置き台８を差し込んで使用する。
【符号の説明】
【００１０】１  堤  、２  接続用凹  、３  接続用凸  、４  台板  、５  かんざし部
６  天板  、７  こたつ用掛け布団  、８  かんざし小物置き台  、９  やぐら式こたつ
【図１】
0003152117.tif 000003
【図２】
0003152117.tif 000004
【手続補正書】
【提出日】平成21年4月18日(2009.4.18)
【手続補正１】
【補正対象書類名】実用新案登録請求の範囲
【補正対象項目名】全文
【補正方法】変更
【補正の内容】
【実用新案登録請求の範囲】
【請求項１】
小物を置く台板に小物が落ちない為の堤をつけ、台板にさしこみ部を備えたことを特徴とする小物置き台。
(57)【要約】      （修正有）【課題】作業の機械化及び人力作業を低減することにより、製造業における低コスト及び増収を図ることができる芋洗い機を提供する。【解決手段】円柱形のカゴの中心軸の側面にモーターを接続し、その上部に設置した水道管からなり、該円柱形のカゴ内に、泥等の付着した芋を投入後、上部水道管から洗浄水を流しかけ、同時にモーターを動力としたカゴを回転させることにより、芋の洗浄を行う。【選択図】図１
0003152120.tif 000002
【実用新案登録請求の範囲】
【請求項１】
人力によることを低減した機械による芋洗い機
【考案の詳細な説明】
【技術分野】
【０００１】
本考案は、農作物である芋を収穫後、付着した土砂等を除去する為の洗浄機である。
【背景技術】
【０００２】
農作物である芋を加工製品とする為に、収穫後付着した土砂などを水等により洗浄した後、加工作業を実施することが一般的であるが、その洗浄作業の際に人力による手間を多く必要とし多大な時間及び費用がかかる。
【考案の概要】
【考案が解決しようとする課題】
【０００３】
農作物を加工し製品化する工程の一つである材料の洗浄作業において、根菜である芋を材料とする場合、土砂等の付着物を除去する為に水による洗浄作業を実施するが、人力による作業の為、時間及び費用がかかり、生産コストの上昇となる為、市場競争力の低下となる。
【０００４】
本考案は、このような従来の問題を解決しようとするものであり、当該機具を使用することにより、農作物加工品の工程の短縮及び生産コストを低減することを目的とする。
【課題を解決するための手段】
【０００５】
本考案は前記目的を達成する為に、人力による作業の比重が低減出来、又、一度に多量の材料の洗浄が可能となる。又、人力の低減が可能な為、作業のバラツキがなく安定した工程と生産コストの減少につながる。
【考案の効果】
【０００６】
本考案に係る芋洗い機を使用することにより、安定した製品作りの作業の工程及び手間の削減により生産コストの低減が実施でき、増収による製造業経営が期待できる。
【考案を実施するための形態】
【０００７】
材料カゴに材料（芋）を投入する。動力を作動させ、水道蛇口を開放する。その後、目視により洗浄状況を確認後洗浄を終了させる為、動力及び水道蛇口を停止し材料（芋）を取出口により取り出す。
【図面の簡単な説明】
【０００８】
【図１】本考察に係る芋洗い機の全体図である。
【図２】本考察に係る芋洗い機の投入カゴ部の姿図である。
【図３】本考察に係る芋洗い機の動力部の姿図である。
【図４】本考察に係る芋洗い機の水噴出部の姿図である。
【図５】本考察に係る芋洗い機の概念図である。
【符号の説明】
【０００９】
１  芋投入カゴ
２  動力
３  水道管
４  芋投入出口
５  芋洗浄水
【図１】
0003152120.tif 000003
【図２】
0003152120.tif 000004
【図３】
0003152120.tif 000005
【図４】
0003152120.tif 000006
【図５】
0003152120.tif 000007
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
円柱形のカゴの中心軸の側面にモーターを接続し、その上部に設置した水道管からなり、該円柱形のカゴ内に、泥等の付着した芋を投入後、上部水道管から洗浄水を流しかけ、同時にモーターを動力としたカゴを回転させることにより、芋の洗浄を行う芋洗い機。
(57)【要約】      （修正有）【課題】堆肥散布後の雑草の発生が低減し田畑の維持管理での労力の削減、及び高品質な農作物の収穫が期待できる家畜糞混入種子滅却装置を提供する。【解決手段】鋼製釜と鋼製網を圧気ポンプ及び通気管により接続し、鋼製釜から発生する蒸気及び熱気を鋼製網に引き込むことにより、家畜糞を伐気し混入した種子を滅却する。【選択図】図７
0003152119.tif 000002
【実用新案登録請求の範囲】
【請求項１】
田畑による生産物に対し、使用する堆肥の原料である家畜の糞等に混入する雑草等の種子を滅却する為の装置。
【考案の詳細な説明】
【技術分野】
【０００１】
本考案は、堆肥の原料である家畜の糞等に混入した雑草の種子を滅却する建設廃材を燃焼したものを熱源とした装置である。
【背景技術】
【０００２】
従来、農作物に対し育成を目的とした堆肥等の肥料を散布するが、家畜の飼育する為のえさの影響により、堆肥の原料であるその家畜の糞に雑草等の種子が混入している為、堆肥散布後のこの種子により田畑に育成した雑草が農作物育成に対し障害となる為、除去することが必要となり、甚大な労力となる。
【考案の概要】
【考案が解決しようとする課題】
【０００３】
近年、消費者の無農薬思考が高まり農薬使用の減少により、除草剤等の使用の抑制が図られている。又、農業を従事している人々の高齢化が進み、田畑の維持管理の労力の軽減が必要となる。
【０００４】
本来、農作物の育成を目的とした堆肥散布であるが、雑草の発生により堆肥の養分が農作物への影響が低くなり、低品質の農作物が予想される為、雑草の除去が必要となる。
【課題を解決するための手段】
【０００５】
本考案は前記問題を解決する為に、熱気及び蒸気により堆肥の原料となる家畜の糞等に混入した雑草の種子を滅却したもので堆肥を作り、田畑への散布を行う。
【考案の効果】
【０００６】
本考案を実施することで、堆肥散布後の雑草の発生が低減し田畑の維持管理での労力の削減、及び高品質な農作物の収穫が期待できる。
【０００７】
熱源を建設廃材等を燃焼させ使用する為、燃料費の低コスト及び環境問題（リサイクル）を考慮している。
【考案を実施するための形態】
【０００８】
糞投入カゴに、家畜の糞を投入し上部にオモリを設置し抜気させる。熱源釜に廃材を投入し燃焼させ、上部鍋部に水を投入し水蒸気を発生させる。熱源釜下部からは通気管により熱気を糞投入釜に引込み、更に抜気を促す。その後、熱源釜上部より蒸気を糞投入釜に引込み、雑草等の種子の滅却を行う。滅却後、農作物に応じた肥料の配合及び攪拌を行う。
【図面の簡単な説明】
【０００９】
【図１】本考察に係る糞投入カゴの平面図である。
【図２】本考察に係る糞投入カゴの断面図である。
【図３】本考察に係る糞投入カゴの姿図である。
【図４】本考察に係る熱源釜の平面図である。
【図５】本考察に係る熱源釜の断面図である。
【図６】本考察に係る熱源釜の姿図である。
【図７】本考察に係る家畜糞混入種子滅却装置全体概念図である。
【符号の説明】
【００１０】
１  通気・蒸気管（穴なし）
２  通気・蒸気管（穴あり）
３  鋼製網
４  布製マット
５  堆肥材料（家畜糞）
６  熱源釜  （上部  蒸気発生（水投入）、下部  建設発生材燃焼釜）
７  水投入口
８  建設発生材投入口
９  鋼板
１０  家畜糞投入カゴ
１１  圧気ポンプ
１２  オモリ
１３  工程１  抜気（圧縮）
１４  工程２  抜気（熱気）
１５  工程３  混入種子滅却（蒸気）
１６  工程４  攪拌・発酵
【図１】
0003152119.tif 000003
【図２】
0003152119.tif 000004
【図３】
0003152119.tif 000005
【図４】
0003152119.tif 000006
【図５】
0003152119.tif 000007
【図６】
0003152119.tif 000008
【図７】
0003152119.tif 000009
【手続補正書】
【提出日】平成21年5月20日(2009.5.20)
【手続補正１】
【補正対象書類名】実用新案登録請求の範囲
【補正対象項目名】全文
【補正方法】変更
【補正の内容】
【実用新案登録請求の範囲】
【請求項１】
鋼製釜と鋼製網を圧気ポンプ及び通気管により接続し、該鋼製釜から発生する蒸気及び熱気を該鋼製網に引き込むことにより、家畜糞を伐気し混入した種子を滅却する装置。
(57)【要約】      （修正有）【課題】細菌、ウイルス等の空気感染症の感染を防止することができる電撃フィルターマスクを提供する。【解決手段】マスクの内側に取り付けるフィルター部分に乾電池の電力を利用した電撃フィルターを使用したことを特徴とし、電撃フィルターマスクは、フィルター内に進入した微生物、細菌、ウイルスが電気を通す物質であれば確実に放電し電気ショックで人体に進入する前に死滅させる事が出来、細菌、ウイルスの感染を阻止出来る。【選択図】図２
0003152111.tif 000002
【実用新案登録請求の範囲】
【請求項１】
マスクの内側に取り付けるフィルター部分に乾電池の電力を利用した電撃フィルターを使用したことを特徴とするマスクである。
【請求項２】
電撃フィルター部分の外気側に不織布、木炭フィルター、内気（身体面）側に木炭フィルターを一体化した構造にした事を特徴とする、請求項１記載のマスクである。
【請求項３】
マスクの外周部に肌に密着する顔面密着シート取付けた事を特徴とする、請求項１記載のマスクである。
【考案の詳細な説明】
【技術分野】
【０００１】  本考案は、特に細菌、ウイルス等の空気感染症の感染防止に装着、使用するマスクに使用する捕集フィルターに関するものである。
【背景技術】
【０００２】  従来から、マスクのフィルター材にガーゼ、高性能不織布、高密度フィルター、ゼオライト鉱物、木炭を利用したフィルターを装着したものがある。
【考案の開示】
【考案が解決しようとする課題】
【０００３】  しかし、これでは、花粉の様な大きさで、空気中を浮遊する大きな浮遊物の捕集は出来るが、空気中に浮遊している細菌、ウイルス等は電子顕微鏡を使用しないと確認できない様な微小サイズであり、現状のマスクの捕集フィルターでは完璧な人体進入の阻止は出来ない。人類の存亡に係わる鳥インフルエンザウイルス等は、１つのウイルス個体でも感染の可能性が有る。従来のマスクに使用している一般的な不織布、ガーゼの布目のサイズでは、細菌、ウイルス等は簡単に素通りするのでマスクのフィルターの機能は果たさない。現在世界が求めているマスクの機能は細菌、ウイルスの完璧な進入を防ぐ機能が必要である。
【課題を解決するための手段】
【０００４】  そこで、本考案は、この課題を解決する為に電撃フィルター（請求項１）を考案した、マスク装着使用時に空気中に浮遊している細菌、ウイルス等が呼吸時に、多層の捕集フィルターを素通りしてマスク内に吸引されても人体に進入する前に電撃フィルター部分で細菌、ウイルスを放電による感電による電気ショックで死滅、消滅（焼滅）する電撃フィルター図２を考案した。【０００５】  また、請求項２の考案は、電撃フィルターを効率的に機能する為に、電撃フィルターに進入する細菌、ウイルスの個体数を極力減少する様に、現状の高機能な不織布９と木炭フィルター８を多層構造にし、電撃フィルターの乾電池の消費を抑えた。【０００６】  そして、請求項３の考案は、マスクと顔面に隙間が出来ると外気がフィルターを通らないで進入する、その結果フィルターの機能が激減するので、その対策として顔の変形時にもマスクと顔に隙間の出来ないように、顔に貼り付く様な密着シート２を取り付けた。又このシートは長時間の使用にも肌にアレルギー等の発症の無いシリコン系のシートにする。
【考案の効果】
【０００７】  よつて、本考案の電撃フィルターマスクは、フィルター内に進入した、細菌、ウイルスが電気を通す物質であれば確実に放電し電気ショックで人体に進入する前に死滅させる事が出来、細菌、ウイルスの進入を阻止出来る。
【考案を実施するための最良の形態】
【０００８】  本考案に係る電撃フィルターは、図２と図３に示すようにマスク本体部分１と電撃フィルターケース部分４で構成されている。この電撃フィルターケース部分４の内部には図２に示すように、乾電池１０からインバーター１１を経てトランス１２で増圧された、高圧の交流電気がプラスの電極６とマイナスの電極７に通電されている電極が収納されている。この電極の間隔はその間に導電物質が進入する時にのみ放電する間隔で配線されている事。【０００９】  次に、この電撃フィルターの外気側と内気側には電気が漏電しない様に電気を通さない木炭フィルターを電撃フィルターケース部分の両面に取り付けた構造にする。しかし木炭フィルターは水洗いし、乾燥すれば木炭の特性効果は回復するので何度でも使用出来る。しかし木炭フィルターは何度でも使用出来るといっても、木炭孔に吸着された物質は、水洗いだけではすべてを流し落とすことは出来ず、除々に吸着物質は溜まっていき、木炭孔が飽和状態になり木炭の特性がなくなるので、新しいフィルター部分に交換する事が出来る構造にする。【００１０】  電撃フィルターの電源部分図２の乾電池１０、インバーター１１、変圧トランス１２はプリント配線等の小型軽量化を計り、胸ポケットなどに入る様小型サイズにする必要がある。しかしこの電源からマスクまでの構造は重量、大きさ、耐久性、使い勝手、製造の効率性、経済性により他の構造を採用使用しても構わない。
【図面の簡単な説明】
【００１１】
【図１】  電撃フィルターマスクの使用状況を示した図である。
【図２】  電撃フィルターの内部正面図である。
【図３】  電撃フィルターマスクの断面詳細図である。
【符号の説明】
【００１２】      １  マスク本体部分
２  密着シート部分
３  マスク本体、フィルター接着用マジックテープ（登録商標）
４  電撃フィルター収納ケース部分
５  電撃フィルター本体部分
６  プラス電極放電線部分
７  マイナス電極放電線部分
８  木炭フィルター部分
９  不織布フィルター部分
１０  乾電池部分
１１  インバーター部分
１２  トランス部分
１３  プラス配線部分
１４  マイナス配線部分
【図１】
0003152111.tif 000003
【図２】
0003152111.tif 000004
【図３】
0003152111.tif 000005
(57)【要約】【課題】独立した一つの写真立てとして利用するほかに複数の写真立てを繋ぎ合わせることのできる写真立てを提供する。【解決手段】写真立てのフレーム１０の外面に、一辺を底辺とした底辺以外の各辺の長さが等しく、底辺の両端に垂直な辺を持つ多角形からなる磁力を有する角柱２０の底面を接着する。【選択図】図１
0003152165.tif 000002
【実用新案登録請求の範囲】
【請求項１】
写真立てのフレームの外面に、一辺を底辺とした底辺以外の各辺の長さが等しく、底辺の両端に垂直な辺を持つ多角形からなる磁力を有する角柱の底面を接着することを特徴とする写真立て。
【考案の詳細な説明】
【技術分野】
【０００１】本考案は、複数の写真立てを繋ぎ合わせることのできる写真立てに関するものである。
【技術背景】
【０００２】写真立てや額縁に磁石を使ったものは多くあるが、その多くは写真立てや額縁の裏面や表面に磁石を使うというものが多く、また、複数の写真立て等を繋ぎ合わせたものもあるが、蝶番で連結するものやフック等で壁面から吊り下げるものが多く、個々の写真立てを蝶番やフックを使わずに複数繋ぎ合わせて卓上等に載置する写真立てはなかった。
【考案の概要】
【考案が解決しようとする課題】
【０００３】本考案は、支持用脚部を使って写真立てとして使用することができるほかに、複数の写真立てを組み合わせて繋ぎ合わせることができる写真立てを提供する。
【課題を解決するための手段】
【０００４】写真立てのフレーム１０の外面に、一辺を底辺とした底辺以外の各辺の長さが等しく、底辺の両端に垂直な辺を持つ多角形からなる磁力を有する角柱２０の底面を接着する。
【考案を実施するための最良の形態】
【０００５】図１は、一例としての主要部分の断面図を記したもので、フレーム１０の外面に、一辺を底辺とした底辺以外の各辺の長さが等しく、底辺の両端に垂直な辺を持つ六角形からなる磁力を有する角柱２０の底面を接着する。
図２及び図３は、写真立てを略記したものであるが、複数の写真立てを組み合わせで繋ぎ合わせる。
【考案の効果】
【０００６】前記のような写真立てとすれば、個々に支持用脚部を使って写真立てとして使用することができるほか、図２に示すように写真立てを縦と横に支持用脚部を使わずにお互いに引き合う磁力によって繋ぎ合わせることができる。
【０００７】また、図３に示すように複数の写真立てを繋ぎ合わせて載置面から離して繋ぎ合わせることができるほか、複数の組み合わせをして繋ぎ合わせることができる。
【図面の簡単な説明】
【０００８】
【図１】は、写真立てのフレーム１０の外面に、六角形からなる磁力を有する角柱２０の底面を接着した主要部分の断面図である。
【図２】は、写真立てを縦と横に繋ぎ合わせた一例を略記した斜視図である。
【図３】は、載置面から離した写真立てを含めた複数の写真立てを組み合わせて繋ぎ合わせた一例を略記した斜視図である。
【符号の説明】
【０００９】１０    フレーム
２０    角柱
【図１】
0003152165.tif 000003
【図２】
0003152165.tif 000004
【図３】
0003152165.tif 000005
(57)【要約】      （修正有）【課題】炎天下の露天駐車時に車を覆うためのカバーであって、車の表面を傷つけることなく使用できる、構造が簡単で製作容易でかつ安価なカーパラソルを提供する。【解決手段】断熱材Ａ、すなわち波型をした紙の上側、下側、に平らな紙をはり、これを数層重ね合わせ、それぞれの間にアルミ箔Ｄを挿入し、その全体の周りを布や紙袋で被った構造の断熱材の下側にうすいスポンジシートＢを貼りつけてカーパラソルを構成する。【選択図】図１
0003152163.tif 000002
【実用新案登録請求の範囲】
【請求項１】
波型をした平らな紙の上側、下側に平らな紙を貼りつけたものを数層重ね、それぞれの層と層の間にアルミ箔を挿入し、その全体を袋で被い、その下側の部に薄いスポンジシートを貼りつけた構造の自動車のためのパラソル。
【考案の詳細な説明】
【考案の利用分野】
【０００１】  環境、衛生に関するものである。
【背景技術】
【０００２】  夏の日差しはきつく、車の中も暑いものである、殊に炎天下の露天駐車は大変な暑さを感ずるものである。そこで人々は木陰を求めたりあるいは車庫を求めたり急いでクーラーをいれたりするのである。
【本考案が解決しようとする課題】
【０００３】  そこで我々は先に考案した断熱材を用いて車の表面を包み、太陽の熱を少しでも軽減しようとこころみたのである。これはかなり効果をみたのであるがこのカーパラソルは断熱材の紙や布が直接車の表面に当たるとその車の表面に傷が付きやすいという欠点に気がついたのである。
【課題を解決しようとする手段】
【０００４】  そこで断熱材を被う紙袋や布袋が直接車の表面に接する部分に薄いスポンシシートを貼り付け車の表面を保護することにしたのである。
【０００５】  断熱材の形は平面状のものや天井は平らで両側が垂れさがったり、あるいは前後の窓ガラスの形にしたがって色々な形に作る事が出来るのであるが、その下側に当たる車の表面に接する部分には薄いスボンジシートを貼りつけて車の表面の保護を旨としたのである。
【実施例】
【０００６】  縦５ｍ横３ｍの平な断熱材の裏惻に薄いスポンシシートを貼りつけ、これを車の外側にかけるのである。露天駐車の場合、何もしない車とこの断熱材すなわちカーパラソルを用いた場合と比べてみると５−６度の差をみとめるのである。そしてその車の表面は傷が付きにくいのである。
【考案の効果】
【０００７】  本考案のカーパラソルを用いると露天駐車後の車内はこれを用いない場合に比べてかなり涼しい感じを持つことが出来、また車の表面も傷のつかない状態を保つことができるのである。構造簡単、製作容易且安価である。
【図面の簡単な説明】
【０００８】
【図１】  斜位図
【図２】  正面図
【図３】  側面図
【図４】  水平面図
【符号の説明】Ａ．．．断熱材
Ｂ．．．スポンジ
Ｃ．．．カーパラソル
Ｄ．．．アルミ箔
【図１】
0003152163.tif 000003
【図２】
0003152163.tif 000004
【図３】
0003152163.tif 000005
【図４】
0003152163.tif 000006